(57)【要約】【課題】特定のデータ電極端子の端子間にイオンマイグレーションが集中して発生することを抑え、絶縁性の低下を招かないＰＤＰを提供する。【解決手段】赤、緑、青の各色に発光する放電セルを有し、赤色放電セルからのデータ電極端子６ｒと緑色放電セルからのデータ電極端子６ｇとの端子間と、緑色放電セルからのデータ電極端子６ｇと青色放電セルからのデータ電極端子６ｂとの端子間と、青色放電セルからのデータ電極端子６ｂと赤色放電セルからのデータ電極端子６ｒとの端子間において、最も電界強度が高いデータ電極端子の端子間の幅を最も広く、２番目に電界強度が高いデータ電極端子の端子間の幅を最も電界強度が高いデータ電極端子の端子間の幅より狭く、３番目に電界強度が高いデータ電極端子の端子間の幅を２番目に電界強度が高いデータ電極端子の端子間の幅より狭く構成したＰＤＰである。【選択図】図１
2010097787.tif 000002
【特許請求の範囲】
【請求項１】
前面基板と背面基板が隔壁を挟んで対向して配置され、隣接する隔壁の間に、赤、緑、青の各色に発光する蛍光体層が形成された放電セルを有し、この放電セルの発光色に対応して、背面基板の外縁部に、赤色放電セルから引き出されたデータ電極端子と、緑色放電セルから引き出されたデータ電極端子と、青色放電セルから引き出されたデータ電極端子がそれぞれ形成され、赤色放電セルから引き出されたデータ電極端子と緑色放電セルから引き出されたデータ電極端子との端子間と、緑色放電セルから引き出されたデータ電極端子と青色放電セルから引き出されたデータ電極端子との端子間と、青色放電セルから引き出されたデータ電極端子と赤色放電セルから引き出されたデータ電極端子との端子間において、最も電界強度が高いデータ電極端子の端子間の幅を最も広く、２番目に電界強度が高いデータ電極端子の端子間の幅を最も電界強度が高いデータ電極端子の端子間の幅より狭く、３番目に電界強度が高いデータ電極端子の端子間の幅を２番目に電界強度が高いデータ電極端子の端子間の幅より狭く構成したことを特徴とするプラズマディスプレイパネル。
【請求項２】
前記データ電極端子が、銀、銅、クロム、アルミニウムまたはそれらの合金のいずれかを含むことを特徴とする請求項１記載のプラズマディスプレイパネル。
【発明の詳細な説明】
【技術分野】
【０００１】
本発明は、表示装置に用いられるプラズマディスプレイパネルに関するものである。
【背景技術】
【０００２】
従来のプラズマディスプレイパネル（以下、ＰＤＰとも言う）は、データ電極の端子の間隔は等間隔で形成されていた（例えば、特許文献１参照）。
【特許文献１】特許第３４３１００３号公報
【発明の開示】
【発明が解決しようとする課題】
【０００３】
ところでＰＤＰにおいては、正しい画像表示が可能となるよう、書き込み電圧の値や配線抵抗の設定をしており、すべてのデータ電極端子間の電圧（実効電圧）は同一ではなく、特定のデータ電極端子間では他のデータ電極端子間に比べて、その実効電圧が高い箇所が存在する。
【０００４】
また、ＰＤＰのデータ電極およびデータ電極端子は例えば銀や銅などの金属を含む導電材料で形成されているが、これらの材料は水分と電界の存在する条件下ではいわゆるイオンマイグレーションが発生し易い。イオンマイグレーション発生を防止するために、防湿性の高い封止樹脂でデータ電極端子部を被覆してはいるが、ＰＤＰの高精細化が進むとデータ電極端子部も狭小化されて、データ電極端子間を封止樹脂で完璧に隙間無く埋めることが難しく、データ電極端子の界面など微小な隙間部分に水分が溜まりやすくなる。
【０００５】
このような状態で、データ電極端子間の実効電圧が高い、すなわち、電界強度が高い箇所が存在するとイオンマイグレーションの発生確率は高くなり、絶縁性の低下を招くという課題を有する。
【０００６】
本発明はこのような現状に鑑みなされたもので、データ電極端子の端子間において電界強度の大きさをほぼ等しくし、特定のデータ電極端子の端子間に集中してイオンマイグレーションが発生することを抑えることで、絶縁性の低下を招かないＰＤＰを提供することを目的とする。
【課題を解決するための手段】
【０００７】
上記目的を実現するために本発明のＰＤＰは、前面基板と背面基板が隔壁を挟んで対向して配置され、隣接する隔壁の間に、赤、緑、青の各色に発光する蛍光体層が形成された放電セルを有し、この放電セルの発光色に対応して、背面基板の外縁部に、赤色放電セルから引き出されたデータ電極端子と、緑色放電セルから引き出されたデータ電極端子と、青色放電セルから引き出されたデータ電極端子がそれぞれ形成され、赤色放電セルから引き出されたデータ電極端子と緑色放電セルから引き出されたデータ電極端子との端子間と、緑色放電セルから引き出されたデータ電極端子と青色放電セルから引き出されたデータ電極端子との端子間と、青色放電セルから引き出されたデータ電極端子と赤色放電セルから引き出されたデータ電極端子との端子間において、最も電界強度が高いデータ電極端子の端子間の幅を最も広く、２番目に電界強度が高いデータ電極端子の端子間の幅を最も電界強度が高いデータ電極端子の端子間の幅より狭く、３番目に電界強度が高いデータ電極端子の端子間の幅を２番目に電界強度が高いデータ電極端子の端子間の幅より狭く構成したことを特徴とするものである。
【発明の効果】
【０００８】
本発明によれば、データ電極端子の端子間において電界強度の大きさがほぼ等しくすることができ、特定のデータ電極端子の端子間に集中してイオンマイグレーションが発生することを抑えることができるので、絶縁性の低下を招かないＰＤＰを提供することが可能となる。
【発明を実施するための最良の形態】
【０００９】
以下、本発明の一実施の形態によるＰＤＰについて、図面を参照しながら説明する。
【００１０】
（実施の形態１）
図１は、本発明の実施の形態１によるＰＤＰにおける背面基板の概略構成を示す部分平面図であり、データ電極端子の取り出し部を拡大して示すものである。
【００１１】
背面基板２０は、ガラス基板１と、その上にデータ電極２、次に絶縁層３を形成した後に隔壁４が形成され、最後に隣接する隔壁４間に蛍光体層５を形成している。
【００１２】
有効表示領域Ａ内に形成されたデータ電極２は、放電セルの色に応じ、すなわち、青色に発光する放電セル（以下、青色放電セル）にはデータ電極２ｂ、緑色に発行する放電セル（同、緑色放電セル）にはデータ電極２ｇ、赤色に発行する放電セル（同、赤色放電セル）にはデータ電極２ｒがそれぞれ形成されている。
【００１３】
データ電極２から引き出されたデータ電極端子６は、ガラス基板１の外縁部に延出される。データ電極端子６は、青色放電セルから引き出されたデータ電極端子６ｂ、緑色放電セルから引き出されたデータ電極端子６ｇ、赤色放電セルから引き出されたデータ電極端子６ｒで構成されている。
【００１４】
データ電極２およびデータ電極端子６は、銀、銅、クロム、アルミニウムおよびそれらの合金のいずれかを含んでいる。
【００１５】
図２に、本発明の実施の形態１によるＰＤＰ１００におけるデータ電極端子６と配線基板９との接続構造を概略的に断面図で示す。図１と同じ構成部品には同じ符号を付している。
【００１６】
背面基板２０は、維持電極および走査電極（図示せず）などが形成されている前面基板７と、シールフリット８を用いて貼り合わせられ、ＰＤＰ１００が形成される。
【００１７】
ＰＤＰ１００には、駆動回路（図示せず）と接続するための配線基板９が接続される。背面基板２０の外縁部に延出されたデータ電極端子６と配線基板９の電極１０とは、導電性接合材１１を介して接続されている。配線基板９は、例えば耐熱性に優れたポリイミド（東レ・デュポン（株）製カプトン）で構成され、配線基板９の電極１０には金やスズメッキされた銅電極を使用している。
【００１８】
導電性接合材１１は、例えば日立化成工業（株）製アニソルム（品番：ＡＣ−２０１２）のように、エポキシ樹脂を主成分とする熱硬化性樹脂の中に、例えば金メッキされたニッケル粒子が分散されている異方性導電フィルムを使用している。
【００１９】
導電性接合材１１で接続した箇所の防湿性を確保するために、露出したデータ電極端子６およびその周辺を封止樹脂１２を用いて被覆する。封止樹脂１２は、例えば日立化成工業（株）製タッフィー（品番：ＴＦ−３３４８−１５Ｆ２Ｇ）のように、アクリル系樹脂を主成分とする紫外線硬化型樹脂を使用している。
【００２０】
本発明の実施の形態１によるＰＤＰ１００の具体例として、データ電極２ｒ、２ｇ、２ｂの幅はそれぞれ、Ｗｒ１＝０．１２ｍｍ、Ｗｂ１＝０．２ｍｍ、Ｗｇ１＝０．１６ｍｍとなるように形成する（図１）。
【００２１】
データ電極端子６の端子ピッチは、０．２４ｍｍで形成される。
【００２２】
また、データ電極端子６の端子間の幅（隙間）は、データ電極端子６ｒとデータ電極端子６ｇの間についてはＤｒｇ、データ電極端子６ｇとデータ電極端子６ｂの間についてはＤｇｂ、データ電極端子６ｂとデータ電極６ｒの間についてはＤｂｒとすると、最も電界強度が高いデータ電極端子６の端子間の幅が最も広く、２番目に電界強度が高いデータ電極端子６の端子間の幅が、最も電界強度が高いデータ電極端子６の端子間の幅より狭く、３番目に電界強度が高いデータ電極端子６の端子間の幅が２番目に電界強度が高いデータ電極端子６の端子間の幅より狭く、Ｄｂｒ＞Ｄｇｂ＞Ｄｒｇとなるように設定され、望ましくは、それぞれのデータ電極端子６の端子間の電界強度が３００Ｖ／ｍｍ以上１０００Ｖ／ｍｍ以下となるように設定される。例えば、Ｄｂｒ＝０．１４ｍｍ、Ｄｇｂ＝０．１３ｍｍ、Ｄｒｇ＝０．１２ｍｍである。
【００２３】
このＰＤＰ１００を表示動作させた場合、データ電極端子６を介してデータ電極２に印加される電圧は、青色放電セル、緑色放電セル、赤色放電セルの放電セルに印加される電圧（実効電圧）をそれぞれＶｂ１、Ｖｇ１、Ｖｒ１とすると、Ｖｂ１＝７０Ｖ、Ｖｇ１＝６０Ｖ、Ｖｒ１＝５５Ｖである。
【００２４】
従って、ＰＤＰ１００の表示動作中におけるデータ電極端子６の端子間の電位差は、データ電極端子６ｒとデータ電極端子６ｇの間の電位差をＶｒｇ、データ電極端子６ｇとデータ電極端子６ｂの間の電位差をＶｇｂ、データ電極端子６ｂとデータ電極端子６ｒの間の電位差をＶｂｒとすると、交番時においては、Ｖｂｒ＝７０Ｖ、Ｖｇｂ＝６０Ｖ、Ｖｒｇ＝５５Ｖとなる。
【００２５】
以上よりＰＤＰ１００においては、データ電極端子６における電界強度は、データ電極端子６ｒとデータ電極端子６ｇの間の電界強度をＥｒｇ、データ電極端子６ｇとデータ電極端子６ｂの間の電界強度をＥｇｂ、データ電極端子６ｂとデータ電極端子６ｒの間の電界強度をＥｂｒとすると、Ｅｒｇ＝４５８Ｖ／ｍｍ、Ｅｇｂ＝４６２Ｖ／ｍｍ、Ｅｂｒ＝５００Ｖ／ｍｍであり、データ電極端子６の各端子間の電界強度はほぼ同じとなっている。
【００２６】
この結果、データ電極端子６の特定の端子間においてイオンマイグレーションの発生が集中することを抑えて、絶縁信頼性の高いＰＤＰを得ることができる。
【００２７】
また、上述した本具体例では、データ電極端子６の端子間の幅がＤｂｒ＞Ｄｇｂ＞Ｄｒｇであり、データ電極端子６の端子間の電位差がＶｂｒ＞Ｖｇｂ＞Ｖｒｇである場合について述べたが、前述の関係に特に限定されるものではなく、データ電極端子６の端子間の電界強度が３００Ｖ／ｍｍ以上１０００Ｖ／ｍｍ以下を満たすように、データ電極端子６の端子間の電位差に応じてデータ電極端子６の端子間の幅が設定されればよい。
【００２８】
上述した本発明の実施の形態１によるＰＤＰでは、赤色放電セルから引き出されたデータ電極端子と緑色放電セルから引き出されたデータ電極端子の端子間と、緑色放電セルから引き出されたデータ電極端子と青色放電セルから引き出されたデータ電極端子の端子間と、青色放電セルから引き出されたデータ電極端子と赤色放電セルから引き出されたデータ電極端子の端子間において、最も電界強度が高いデータ電極端子の端子間の幅が最も広く、２番目に電界強度が高いデータ電極端子の端子間の幅が最も電界強度が高いデータ電極端子の端子間の幅より狭く、３番目に電界強度が高いデータ電極端子の端子間の幅が２番目に電界強度が高いデータ電極端子の端子間の幅より狭くなるように形成し、すべてのデータ電極端子の端子間の電界強度をほぼ等しくすることができるので、特定のデータ電極端子の端子間においてイオンマイグレーションの発生が集中することを防ぎ、絶縁信頼性の高いＰＤＰを実現することができる。
【産業上の利用可能性】
【００２９】
以上のように本発明は、大画面、高精細のＰＤＰを提供する上で有用な発明である。
【図面の簡単な説明】
【００３０】
【図１】本発明の実施の形態１によるＰＤＰにおける背面基板の概略構成を示す部分平面図
【図２】本発明の実施の形態１によるＰＤＰにおけるデータ電極端子と配線基板との接続構造を概略的に示す断面図
【符号の説明】
【００３１】
１  ガラス基板
２  データ電極
２ｂ  青色放電セルのデータ電極
２ｇ  緑色放電セルのデータ電極
２ｒ  赤色放電セルのデータ電極
３  絶縁層
４  隔壁
５  蛍光体層
５ｂ  青色蛍光体層
５ｇ  緑色蛍光体層
５ｒ  赤色蛍光体層
６  データ電極端子
６ｂ  青色放電セルから引き出されたデータ電極端子
６ｇ  緑色放電セルから引き出されたデータ電極端子
６ｒ  赤色放電セルから引き出されたデータ電極端子
７  前面基板
８  シールフリット
９  配線基板
１０  配線基板の電極
１１  導電性接合材
１２  封止樹脂
２０  背面基板
１００  プラズマディスプレイパネル（ＰＤＰ）
【図１】
2010097787.tif 000003
【図２】
2010097787.tif 000004